(57)【要約】【課題】本発明は、装置のプロセススピードにかかわらず、部品の短寿命化や騒音の発生等の弊害を伴わずに周波数の干渉による画像の乱れを防止することができる画像形成装置を提供することを目的とする。【解決手段】感光体ドラム１６表面を予め設定された範囲内の周波数ＦＢＣＲの交流電圧が直流電圧に重畳された帯電バイアス電圧が印加される帯電ローラ１８によって所定の電位に帯電した状態で、一定の書込み周波数ＦＲＯＳに基づいて複数の光ビームを感光体ドラム１６上に走査して静電潜像を形成する。この静電潜像を予め設定された範囲内の周波数ＦＤＥＶＥの交流電圧が直流電圧に重畳された現像バイアス電圧が印加される現像器２２によりトナー現像し、トナー像を用紙に転写して画像を形成するに際し、周波数ＦＲＯＳと周波数ＦＤＥＶＥと周波数ＦＢＣＲが互いに整数倍の関係になるように、周波数ＦＤＥＶＥ、周波数ＦＢＣＲ及び光ビームの数を設定する。【選択図】図２
2008020787.tif 000002
【特許請求の範囲】
【請求項１】
像担持体表面を所定の電位に帯電した状態で、当該像担持体に複数の光ビームを走査することで静電潜像を形成し、この像担持体上に形成された静電潜像をトナーによって現像し、現像されたトナー像を記録媒体に転写して画像を形成する画像形成装置であって、
複数の光源を有し、一定の書込み周波数に基づいて各光源の駆動状態の制御及び前記光ビームの像担持体上への走査を制御する露光手段と、
予め設定された範囲内の周波数とされた交流電圧が直流電圧に重畳された現像バイアス電圧によって前記トナーを帯電させて前記静電潜像を現像する現像手段と、
を備え、
前記書込み周波数と前記現像バイアス電圧の交流成分の周波数とが互いに略整数倍の関係になるように、前記現像バイアス電圧の交流成分の周波数及び前記露光手段により駆動状態を制御する前記光源の数を設定することを特徴とする画像形成装置。
【請求項２】
像担持体表面を所定の電位に帯電した状態で、当該像担持体に複数の光ビームを走査することで静電潜像を形成し、この像担持体上に形成された静電潜像をトナーによって現像し、現像されたトナー像を記録媒体に転写して画像を形成する画像形成装置であって、
予め設定された範囲内の周波数とされた交流電圧が直流電圧に重畳された帯電バイアス電圧によって前記像担持体表面を所定の電位に帯電させる帯電手段と、
複数の光源を有し、一定の書込み周波数に基づいて各光源の駆動状態の制御及び前記光ビームの像担持体上への走査を制御する露光手段と、
予め設定された範囲内の周波数とされた交流電圧が直流電圧に重畳された現像バイアス電圧によって前記トナーを帯電させて前記静電潜像を現像する現像手段と、
を備え、
前記書込み周波数と前記現像バイアス電圧の交流成分の周波数と前記帯電バイアス電圧の交流成分の周波数とが互いに略整数倍の関係になるように、前記現像バイアス電圧の交流成分の周波数、前記帯電バイアス電圧の交流成分の周波数及び前記露光手段により駆動状態を制御する前記光源の数を設定することを特徴とする画像形成装置。
【請求項３】
前記帯電バイアス電圧の交流成分の周波数は、所定の設定制約条件を満たしていることを特徴とする請求項２記載の画像形成装置。
【請求項４】
前記現像バイアス電圧の交流成分の周波数は、所定の設定制約条件を満たしていることを特徴とする請求項１乃至請求項３の何れか１項記載の画像形成装置。
【請求項５】
前記像担持体上への画像形成速度を予め設定された複数の画像形成速度から選択する選択手段を更に備え、
前記露光手段は、前記選択手段により選択された前記画像形成速度に応じて、駆動状態を制御する前記光源の数を切り替えることを特徴とする請求項１乃至請求項４の何れか１項記載の画像形成装置。
【請求項６】
前記複数の光源は、４以上であることを特徴とする請求項１乃至請求項５の何れか１項記載の画像形成装置。
【発明の詳細な説明】
【技術分野】
【０００１】
本発明は、像担持体表面を所定の電位に帯電した状態で、当該像担持体に複数の光ビームを走査することで静電潜像を形成し、この像担持体上に形成された静電潜像をトナーによって現像し、現像されたトナー像を記録媒体に転写して画像を形成する画像形成装置に関する。
【背景技術】
【０００２】
従来、感光体上に光ビームを走査して静電潜像を形成する画像形成方式を採用した画像形成装置において、画像形成を良好に行なうための種々の提案がなされている。
【０００３】
例えば、画像形成を良好に行なうためには、感光体上に光ビームを走査する前に、感光体表面を均一に帯電することが重要である。感光体表面を均一に帯電させるために、帯電ローラ（ＢＣＲ）により接触方式で感光体を帯電するようにし、ＢＣＲに直流電圧に交流電圧を重畳して印加することが提案されている。
【０００４】
また、画像形成を良好に行なうために、静電潜像をトナーにより現像する際に、トナーを帯電させると共に感光体上に供給する現像器（ＤＥＶＥ）に印加する電圧についても、直流電圧に交流電圧を重畳して印加することが提案されている。
【０００５】
ここで、特許文献１では、ＤＥＶＥとＢＣＲの交流成分のＡＣ周波数の差によりうねりが発生することによる画像ムラの発生を防止すべく、ＢＣＲバイアスの交流成分の周波数と現像バイアスの交流成分の周波数とが整数倍の関係になるようにすることが提案されている。具体的には、ＢＣＲ及びＤＥＶＥに同一の発信子からＡＣ成分を供給するようにし、少なくとも何れか一方のＡＣ成分については、発信子からの出力を分周して供給することが記載されている。
【０００６】
また、特許文献２には、画像書込み周期とＢＣＲ帯電の繰返し周期の差によりうねりが発生することによる画像ムラの発生を防止すべく、画像書込み周期をＢＣＲ帯電の繰り返し周期の整数倍にすることが提案されている。
【０００７】
更に、特許文献３には、画像書込み周波数、ＢＣＲバイアスの交流成分の周波数及び現像バイアスの交流成分の周波数の差によってうねりが発生することによる画像ムラの発生を防止すべく、画像書込み周波数、ＢＣＲバイアスの交流成分の周波数及び現像バイアスの交流成分の周波数が互いに整数倍の関係になるようにすることが提案されている。
【特許文献１】特開平５−１２７４５４号公報
【特許文献２】特開平６−２０２４１９号公報
【特許文献３】特開平８−２１１７８６号公報
【発明の開示】
【発明が解決しようとする課題】
【０００８】
ところで、画像形成に用いる用紙の種類や画像形成モードに応じてプロセススピードを切り替える機種においては、プロセスピードの切り替えに伴って露光装置（ＲＯＳ）における画像書込み走査周波数が変化する。
【０００９】
また、ＢＣＲバイアスの交流成分の周波数（ＢＣＲ−ＡＣ周波数）及びＤＥＶＥバイアスの交流成分の周波数（ＤＥＶＥ−ＡＣ周波数）には、それぞれ適した周波数の範囲が存在する。
【００１０】
すなわち、ＢＣＲ−ＡＣ周波数は、低すぎるとノイズや障害電波等が発生しやすくなり、高すぎると騒音が発生しやすくなる。また、ＤＥＶＥ−ＡＣ周波数は、低すぎるとトナーかぶりが生じやすく、高すぎると感光体表面における膜減りが起きやすくなり、感光体の短寿命化を招くことになる。
【００１１】
したがって、画像書き込み周波数の変化に合わせて単純にＢＣＲバイアスの交流成分の周波数及びＤＥＶＥバイアスの交流成分の周波数を各周波数が整数倍の関係を保つように調整した場合、ＢＣＲ−ＡＣ周波数及びＤＥＶＥ−ＡＣ周波数を共に適した周波数の範囲内で設定することが困難となる。
【００１２】
本発明は、装置のプロセススピードにかかわらず、部品の短寿命化や騒音の発生等の弊害を伴わずに周波数の干渉による画像の乱れを防止することができる画像形成装置を提供することを目的とする。
【課題を解決するための手段】
【００１３】
上記課題を解決するために、請求項１の発明は、像担持体表面を所定の電位に帯電した状態で、当該像担持体に複数の光ビームを走査することで静電潜像を形成し、この像担持体上に形成された静電潜像をトナーによって現像し、現像されたトナー像を記録媒体に転写して画像を形成する画像形成装置であって、複数の光源を有し、一定の書込み周波数に基づいて各光源の駆動状態の制御及び前記光ビームの像担持体上への走査を制御する露光手段と、予め設定された範囲内の周波数とされた交流電圧が直流電圧に重畳された現像バイアス電圧によって前記トナーを帯電させて前記静電潜像を現像する現像手段と、を備え、前記書込み周波数と前記現像バイアス電圧の交流成分の周波数とが互いに整数倍の関係になるように、前記現像バイアス電圧の交流成分の周波数及び前記露光手段により駆動状態を制御する前記光源の数を設定することを特徴としている。
【００１４】
請求項２の発明は、像担持体表面を所定の電位に帯電した状態で、当該像担持体に複数の光ビームを走査することで静電潜像を形成し、この像担持体上に形成された静電潜像をトナーによって現像し、現像されたトナー像を記録媒体に転写して画像を形成する画像形成装置であって、予め設定された範囲内の周波数とされた交流電圧が直流電圧に重畳された帯電バイアス電圧によって前記像担持体表面を所定の電位に帯電させる帯電手段と、複数の光源を有し、一定の書込み周波数に基づいて各光源の駆動状態の制御及び前記光ビームの像担持体上への走査を制御する露光手段と、予め設定された範囲内の周波数とされた交流電圧が直流電圧に重畳された現像バイアス電圧によって前記トナーを帯電させて前記静電潜像を現像する現像手段と、を備え、前記書込み周波数と前記現像バイアス電圧の交流成分の周波数と前記帯電バイアス電圧の交流成分の周波数とが互いに整数倍の関係になるように、前記現像バイアス電圧の交流成分の周波数、前記帯電バイアス電圧の交流成分の周波数及び前記露光手段により駆動状態を制御する前記光源の数を設定することを特徴としている。
【００１５】
請求項３の発明は、請求項２記載の発明において、前記帯電バイアス電圧の交流成分の周波数は、所定の設定制約条件を満たしていることを特徴としており、請求項４の発明は、請求項１乃至請求項３の何れか１項記載の発明において、前記現像バイアス電圧の交流成分の周波数は、所定の設定制約条件を満たしていることを特徴としている。
【００１６】
請求項５の発明は、請求項１乃至請求項４の何れか１項記載の発明において、前記像担持体上への画像形成速度を予め設定された複数の画像形成速度から選択する選択手段を更に備え、前記露光手段は、前記選択手段により選択された前記画像形成速度に応じて、駆動状態を制御する前記光源の数を切り替えることを特徴としている。
【００１７】
請求項６の発明は、請求項１乃至請求項５の何れか１項記載の発明において、前記複数の光源は、４以上であることを特徴としている。
【発明の効果】
【００１８】
本発明は、装置のプロセススピードにかかわらず、部品の短寿命化や騒音の発生等の弊害を伴わずに周波数の干渉による画像の乱れを防止することができる、という優れた効果を有する。
【発明を実施するための最良の形態】
【００１９】
以下、図面を参照して、本発明に係る実施の形態について説明する。
【００２０】
図１には、本実施の形態に係る画像形成装置１０の構成が概略的に示されている。同図に示されるように、画像形成装置１０には、複数の巻きかけローラ１２に張架され、モータ（図示省略）の駆動により矢印Ｅ方向に搬送される無端ベルト状の中間転写体ベルト１４の長手方向に沿って、複数の画像形成ユニット１５（詳細は後述する）が配設されている。
【００２１】
なお、本実施の形態における画像形成装置１０は、カラー画像の形成にも対応しており、イエロー（Ｙ）、マゼンタ（Ｍ）、シアン（Ｃ）、ブラック（Ｋ）の４色に対応するトナー像を形成する画像形成ユニット１５Ｙ、１５Ｍ、１５Ｃ、１５Ｋがそれぞれ配設されている。以下、各色毎に設けられた部材については、符号の末尾に各々の色を示すアルファベット（Ｙ／Ｍ／Ｃ／Ｋ）を付与して示すが、特に色を区別せずに説明する場合は、この符号末尾のアルファベットを省略して説明する。
【００２２】
同図に示されるように、画像形成ユニット１５は、中間転写体ベルト１４に接するように配設され、矢印Ｆ方向に所定速度で回転する感光体ドラム１６を備えている。
【００２３】
各感光体ドラム１６の周面には、感光体ドラム１６を帯電させるための帯電ローラ１８、感光体ドラム１６上に静電潜像を形成するための露光ユニット２０、感光体ドラム１６上に形成された静電潜像を所定色（イエロー／マゼンタ／シアン／ブラック）のトナーによって現像してトナー像を形成させる現像器２２、各感光体ドラム１６上のトナー像を中間転写体ベルト１４に転写する転写ローラ２５がそれぞれ設けられている。
【００２４】
感光体ドラム１６は、矢印F方向に回転することにより順次帯電ローラ１８、露光ユニット２０、現像器２２、転写ローラ２５によって各種処理が施され、周面にトナー像が形成される。
【００２５】
なお、本実施の形態では、感光体ドラム１６表面を均一に帯電すべく、接触方式で感光体ドラム１６を帯電させる帯電ローラ１８に直流電圧に交流電圧を重畳して印加している。
【００２６】
また、画像形成を良好に行なうために、トナーを帯電させると共に感光体ドラム１６上に供給する現像器２２にも、直流電圧に交流電圧を重畳して印加している。
【００２７】
各画像形成ユニット１５により形成された互いに異なる色のトナー像は、中間転写体ベルト１４のベルト面上で、互いに重なり合うように中間転写体ベルト１４に各々転写される。これにより、中間転写体ベルト１４上にカラーのトナー像が形成される。なお、本実施の形態では、このようにして４色のトナー像が重ねて転写されたトナー像を最終トナー像と称する。
【００２８】
４つの画像形成ユニット１５よりも中間転写体ベルト１４の搬送方向下流側には、対向する２つのローラ２６Ａ、２６Ｂからなる転写装置２６が配設されている。中間転写体ベルト１４上に形成された最終トナー像は、このローラ２６Ａ、２６Ｂの間に送り込まれ、画像形成装置１０の底部に設けられた用紙トレイ２９から取り出されて、同じくローラ２６Ａ、２６Ｂの間に搬送されてきた用紙に転写される。
【００２９】
また、最終トナー像が転写された用紙の搬送経路（図１に二点鎖線で示す経路）には、加圧ローラ３０Ａと加熱ローラ３０Ｂとからなる定着装置３０が配設されている。定着装置３０に搬送された用紙は、加圧ローラ３０Ａと加熱ローラ３０Ｂとによって挟持搬送されることにより用紙上のトナーが溶融すると共に用紙に圧着されて、定着される。これにより、用紙上に所望の画像（カラー画像）が形成される。画像が形成された用紙は装置外へ排出される。
【００３０】
ここで、露光ユニット２０は、複数（本実施の形態では、「１６」）の発光点を有するレーザアレイ（図１では図示省略）を光源として備えている。レーザアレイの各発光点からそれぞれ射出される光ビームは、コリメータレンズにより略平行光とされた後にシリンドリカルミラーにより絞られて、所定の速度で回転するポリゴンミラーにより感光体ドラム１６上の走査位置に案内される。また、ポリンゴンミラーと感光体ドラム１６上との間には、ｆ−θレンズが設けられており、当該ｆ−θレンズにより光ビームによる走査速度が略等速にされる。
【００３１】
図２には、本発明の実施の形態に係る画像形成装置１０の周波数の供給に関するブロック図が示されている。同図に示されるように、画像形成装置１０は、装置全体の制御を司る制御部３６と、周波数調整部３８と、を含んで構成されている。制御部３６は、周波数調整部３８及び上記露光ユニット２０に接続されている。
【００３２】
制御部３６は、入力された印刷ジョブに基づいて画像形成装置１０のプロセススピードを決定し、決定したプロセススピードに応じて予め設定された制御パラメータを各部位に出力する。
【００３３】
上記制御部３６により出力される予め設定された制御パラメータとしては、例えば、露光ユニット２０における書込み周波数ＦＲＯＳや帯電ローラ１８及び現像器２２に供給する電力の交流（ＡＣ）成分の周波数、上記露光ユニット２０による静電潜像形成時に駆動する発光点の数等があげられる。
【００３４】
一方、周波数調整部３８は、各部位に周波数信号を供給するために、発振器４０と、分周器４２，４４，４６と、を含んで構成されており、各分周器４２，４４，４６は、それぞれ発振器４０と接続されている。
【００３５】
また、分周器４２は帯電ローラ１８（１８Ｙ，１８Ｍ，１８Ｃ，１８Ｋ）に、分周器４４は露光ユニット２０（２０Ｙ，２０Ｍ，２０Ｃ，２０Ｋ）に、分周器４６は現像器２２（２２Ｙ，２２Ｍ，２２Ｃ，２２Ｋ）に、それぞれ接続されている。
【００３６】
なお、同図に示されるように、分周器４２、４４、４６の分周比は、互いに整数倍の関係となっており、分周器４２、４４、４６の分周比は、適宜変更制御可能に構成されている。
【００３７】
すなわち、各部位に供給される周波数の間には、以下の（１）式に示す関係が成り立つ。
【００３８】
ＦＤＥＶＥ＝Ｍ・ＦＢＣＲ＝Ｍ・Ｎ・ＦＲＯＳ  ・・・（１）
帯電ローラ１８では、分周器４２を介してＬ・Ｍ分周された周波数信号が帯電バイアスのＡＣ成分の周波数ＦＢＣＲとして用いられる。また、現像器２２においては、分周器４６を介してＬ分周された周波数信号が適宜増幅され、現像バイアスのＡＣ成分の周波数ＦＤＥＶＥとして用いられる。
【００３９】
一方、露光ユニット２０では、分周器４４を介してＬ・Ｍ・Ｎ分周された周波数信号が書込み周波数ＦＲＯＳとして用いられる。
【００４０】
ここで、ＲＯＳの書込み周波数ＦＲＯＳは、プロセススピードＰＶ（ｍｍ／ｓｅｃ)、解像度Ｑ（ｄｐｉ）、ビーム本数Ｂ（本）によって定まるものであり、以下の（２)式により求められる。
【００４１】
ＦＲＯＳ＝ＰＶ／（（２５．４／Ｑ）×Ｂ）  ・・・（２）
また、帯電ローラ１８に供給する電力のＡＣ成分の周波数ＦＢＣＲ及び現像器２２に供給する電力のＡＣ成分のＦＤＥＶＥには、それぞれ適した周波数の範囲が存在する。すなわち、周波数ＦＢＣＲは、低すぎるとノイズや障害電波等が発生しやすくなり、高すぎると騒音が発生しやすくなる。また、周波数ＦＤＥＶＥは、低すぎるとトナーかぶりが生じやすく、高すぎると感光体表面における膜減りが起きやすくなり、感光体の短寿命化を招くことになる。
【００４２】
本実施の形態では、解像度Ｑ＝２４００（ｄｐｉ）、周波数ＦＢＣＲ（Ｈｚ）及びＦＤＥＶＥ（Ｈｚ）の適した範囲をそれぞれ以下の（３）式及び（４）式に示す範囲として、実施の形態に係る周波数及びビーム本数の設定について説明する。
【００４３】
４００＜ＦＢＣＲ＜８００  ・・・（３）
４２００＜ＦＤＥＶＥ＜４６００  ・・・（４）
まず、上記（２）式を用いて書込み周波数ＦＲＯＳを導出する。次に、この導出した書込み周波数ＦＲＯＳを基準として、帯電バイアスのＡＣ周波数ＦＢＣＲ及び現像バイアスのＡＣ周波数ＦＤＥＶＥを設定する。
【００４４】
以下の表１に示されるように、ビーム本数を調整することにより、（１）〜（３）式全てを満たすように周波数を適用することができる。
【００４５】
なお、本実施の形態では、露光ユニット２０の発光点の数を１６としているので、表１では、最大のビーム本数１６本で導出した場合と、１本少ない１５本、２本少ない１４本及び３本少ない１３本で導出した場合とについて示した。
【００４６】
【表１】
2008020787.tif 000003
【００４７】
このように、本実施の形態では、プロセススピードが２２０（ｍｍ／ｓｅｃ）の場合は画像形成時に駆動制御するビーム本数を１６本とし、プロセススピードが１７５（ｍｍ／ｓｅｃ）の場合及びプロセススピードが１２０（ｍｍ／ｓｅｃ）の場合は、画像形成時に駆動制御するビーム本数を１５本とする。
【００４８】
したがって、プロセススピードに応じて、各分周器４２，４４，４６の分周比を表すＬ，Ｍ，Ｎに以下の表２に示される値が適用される。
【００４９】
【表２】
2008020787.tif 000004
【００５０】
この結果、各プロセススピードにおける各周波数の関係は、以下の表３に示されるようになる。
【００５１】
【表３】
2008020787.tif 000005
【００５２】
なお、ビーム本数は露光ユニット２０に備えられた発光点よりも少ない本数であれば適宜設定できることは、いうまでもない。
【００５３】
制御部３６では、決定したプロセススピードに応じて、予め設定された各部位に供給する周波数を周波数調整部３８に出力する。
【００５４】
これにより、発振器４０は、各部位に供給する周波数の公倍数の周波数となる周波数信号を生成すると共に、各分周器４２，４４，４６の分周比をプロセススピードに応じて適宜変更する。
【００５５】
以下に、本実施の形態の作用を説明する。
【００５６】
まず、画像形成装置１０では、印刷ジョブが入力されると、制御部３６により印刷ジョブに基づいて、カラー／モノクロ、紙種、解像度等に応じてプロセススピードや駆動する画像形成ユニット１５が決定される。
【００５７】
次に、制御部３６では、決定したプロセススピードに応じて予め設定された制御パラメータ（表１の太線内の値を参照）を各部位に出力して各部位を作動させる。
【００５８】
これにより、周波数調整部３８では、入力された制御パラメータに応じて、各部位に供給する周波数の公倍数の周波数（例えば、プロセススピードが２２０（ｍｍ／ｓｅｃ）であれば、４４５５Ｈｚ）を生成すると共に、各分周器４２，４４，４６の分周比を設定する。
【００５９】
以上詳細に説明したように、本実施の形態によれば、感光体ドラム１６表面を予め設定された範囲内の周波数ＦＢＣＲの交流電圧が直流電圧に重畳された帯電バイアス電圧が印加される帯電ローラ１８によって所定の電位に帯電した状態で、一定の書込み周波数ＦＲＯＳに基づいて各光源の駆動状態の制御及び光源からの光ビームの感光体ドラム１６上への走査を制御して、感光体ドラム１６に複数の光ビームを走査することで静電潜像を形成し、この感光体ドラム１６上に形成された静電潜像を予め設定された範囲内の周波数ＦＤＥＶＥの交流電圧が直流電圧に重畳された現像バイアス電圧が印加される現像器２２により帯電されたトナーによって現像し、現像されたトナー像を用紙に転写して画像を形成するに際し、書込み周波数ＦＲＯＳと現像バイアス電圧の交流成分の周波数ＦＤＥＶＥと帯電バイアス電圧の交流成分の周波数ＦＢＣＲが互いに整数倍の関係になるように、現像バイアス電圧の交流成分の周波数ＦＤＥＶＥ、帯電バイアス電圧の交流成分の周波数ＦＢＣＲ及び駆動状態を制御する光源の数（光ビームの数）を設定しているので、装置のプロセススピードにかかわらず、部品の短寿命化や騒音の発生等の弊害を伴わずに周波数の干渉による画像の乱れを防止することができる。
【００６０】
すなわち、光ビームの数を固定とした場合、上記表１に示されるように、部品の短寿命化や騒音の発生等の弊害を伴うことのない周波数で画像形成を行なうことは困難である。
【００６１】
また、本実施の形態によれば、印刷ジョブの内容に応じて、感光体ドラム１６上へのプロセススピードを予め設定された複数のプロセススピードから選択して決定し、決定したプロセススピードに応じて、光ビームの数を切り替えるようにしているので、複数のプロセススピードで画像形成を実行する機種においても、部品の短寿命化や騒音の発生等の弊害を伴わずに周波数の干渉による画像の乱れを防止することができる。
【００６２】
なお、上記実施の形態に係る画像形成装置１０の構成（図１及び図２参照）は一例であり、本発明の趣旨を逸脱しない範囲で適宜変更可能である。
【００６３】
例えば、本実施の形態では、プロセススピードを印刷ジョブに応じて切り替える形態について説明したが、本発明はこれに限定されるものではない。
【００６４】
すなわち、プロセススピードが固定である機種に適用することもできる。有効化する発光点の個数を適宜変更することにより、部品の短寿命化や騒音の発生等の弊害を伴わない範囲内で帯電バイアス電圧の交流成分の周波数及び現像バイアス電圧の交流成分の周波数が設定可能となるので、プロセススピードが異なる機種間でも、共通の画像形成ユニットを適用することができる。
【００６５】
また、白黒機では、略整数倍でも問題ないが、カラー機においては、色間の差で濃度ムラ等の画質デフェクトが発生するため、全色の関係を完全な整数倍に設定する必要がある。
【００６６】
また、上記実施の形態に係る各処理の流れも一例であり、本発明の趣旨を逸脱しない範囲で適宜変更可能である。
【図面の簡単な説明】
【００６７】
【図１】実施の形態に係る画像形成装置の構成を示す概略図である。
【図２】実施の形態に係る画像形成装置における周波数の供給に関するブロック図である。
【符号の説明】
【００６８】
１０    画像形成装置
１４    中間転写体ベルト
１６    感光体ドラム
１８    帯電ローラ（帯電手段）
２０    露光ユニット（露光手段）
２２    現像器（現像手段）
３６    制御部（選択手段）
３８    周波数調整部
４０    発振器
４２、４４、４６    分周器
【図１】
2008020787.tif 000006
【図２】
2008020787.tif 000007